(57)【要約】【課題】簡易な構成で小さな粒径の粒子状物質を捕集することができる集塵装置を提供する。【解決手段】対象ガスから粒子状物質を除去する集塵装置１Ａは、荷電部２と湿式捕集部７を備える。荷電部２は、対象ガスが流れる流路１０の一部を複数のセルに区画する区画部材４と、前記複数のセルのそれぞれに挿通された、負電圧が印加されて区画部材４との間に電界を発生させる荷電ワイヤ３、を含む。湿式捕集部７は、荷電部２を通過した対象ガスを水と接触させて、荷電ワイヤ３と区画部材４の間で発生した電界によって負に帯電した粒子状物質を捕集する。【選択図】図１
2015013243.tif 000002
【特許請求の範囲】
【請求項１】
対象ガスから粒子状物質を除去する集塵装置であって、
前記対象ガスが流れる流路の一部を複数のセルに区画する区画部材、および前記複数のセルのそれぞれに挿通された、負電圧が印加されて前記区画部材との間に電界を発生させる荷電ワイヤ、を含む荷電部と、
前記荷電部を通過した対象ガスを水と接触させて前記電界によって負に帯電した粒子状物質を捕集する湿式捕集部と、
を備える、集塵装置。
【請求項２】
前記区画部材は、互いに対向するように配列された、前記対象ガスが流れる方向と直交する方向に延びる複数の平板で構成されており、
前記荷電ワイヤは、隣り合う前記平板の間で当該平板と平行に延びている、請求項１に記載の集塵装置。
【請求項３】
前記対象ガスが流れる方向において、前記荷電ワイヤから前記平板の下流側の端部までの距離は、前記電界によって負に帯電した粒子状物質が前記平板に付着しないように設定されている、請求項２に記載の集塵装置。
【請求項４】
前記荷電ワイヤは、前記流路を横断しており、
前記荷電部は、前記荷電ワイヤの両端部に接続された一対の分電部材と、前記一対の分電部材を収容する、前記流路の両側に配置された一対の第１収容室と、前記一対の分電部材のそれぞれに接続された荷電棒であって前記第１収容室の内部から外部へ延びる荷電棒と、前記荷電棒における前記第１収容室から突出する部分を収容する第２収容室であって前記荷電棒を支持する碍子が取り付けられた第２収容室と、を含む、請求項２または３に記載の集塵装置。
【請求項５】
前記第２収容室内に空気を供給する空気供給装置をさらに備える、請求項４に記載の集塵装置。
【請求項６】
前記荷電部は、前記一対の第１収容室のそれぞれの内部に配置された、前記荷電ワイヤに向かって空気を吹き付けるノズルを含む、請求項４または５に記載の集塵装置。
【請求項７】
前記荷電棒は、連結器を介して前記分電部材に接続されており、
前記連結器は、前記荷電棒に固定される固定部と、前記分電部材に固定される可動部とを有し、前記可動部がボルトにより前記荷電ワイヤを引っ張る方向に移動できるように構成されている、請求項４〜６のいずれか一項に記載の集塵装置。
【請求項８】
前記区画部材は、前記対象ガスが流れる方向と直交する方向に広がる、前記複数のセルを規定する複数の貫通穴を有するパネルであり、
前記荷電ワイヤは、前記複数の貫通穴のそれぞれの中心で前記対象ガスが流れる方向に延びている、請求項１に記載の集塵装置。
【請求項９】
前記複数の貫通穴のそれぞれの長さは、前記電界によって負に帯電した粒子状物質が前記貫通穴の内周面に付着しないように設定されている、請求項８に記載の集塵装置。
【請求項１０】
前記荷電部は、前記対象ガスが流れる方向において前記パネルの上流側に、前記流路を横断するように配置され、前記荷電ワイヤと接続された共通ワイヤと、前記共通ワイヤの両端部に接続された一対の分電部材と、前記一対の分電部材を収容する、前記流路の両側に配置された一対の第１収容室と、前記一対の分電部材のそれぞれに接続された荷電棒であって前記第１収容室の内部から外部へ延びる荷電棒と、前記荷電棒における前記第１収容室から突出する部分を収容する第２収容室であって前記荷電棒を支持する碍子が取り付けられた第２収容室と、を含む、請求項８または９に記載の集塵装置。
【請求項１１】
前記第２収容室内に空気を供給する空気供給装置をさらに備える、請求項１０に記載の集塵装置。
【請求項１２】
前記荷電部は、前記一対の第１収容室のそれぞれの内部に配置された、前記荷電ワイヤに向かって空気を吹き付けるノズルを含む、請求項１０または１１に記載の集塵装置。
【請求項１３】
前記荷電棒は、連結器を介して前記分電部材に接続されており、
前記連結器は、前記荷電棒に固定される固定部と、前記分電部材に固定される可動部とを有し、前記可動部がボルトにより前記共通ワイヤを引っ張る方向に移動できるように構成されている、請求項１０〜１２のいずれか一項に記載の集塵装置。
【発明の詳細な説明】
【技術分野】
【０００１】
本発明は、対象ガスから粒子状物質（ＰＭ：Particulate Matter）を除去する集塵装置に関する。
【背景技術】
【０００２】
対象ガスから粒子状物質を除去する集塵装置としては、種々の形式のものが知られている。例えば、湿式洗浄方式の集塵装置は、対象ガス中に水を分散、あるいは水中に対象ガスを分散させることにより、粒子状物質と水との慣性衝突によって粒子状物質を捕集する。しかし、粒子状物質と水との衝突速度が遅い場合は、大きな粒径の粒子状物質しか捕集することができず、小さな粒径の粒子状物質を捕集することは困難である。
【０００３】
これに対し、電気集塵装置は、対象ガスが流れる流路中に放電極および集塵極を配置し、放電極に負電圧を印加することによって粒子状物質を負に帯電させて集塵極に付着させる。このような方式では、小さな粒径の粒子状物質を捕集することができる。
【０００４】
電気集塵装置には、集塵極をハンマリングすることにより集塵極に付着した粒子状物質を払い落とす乾式のものと、集塵極を水により洗浄する湿式のものがある（湿式電気集塵装置については、例えば特許文献１参照）。
【先行技術文献】
【特許文献】
【０００５】
【特許文献１】特開２００８−２１２８４７号公報
【発明の概要】
【発明が解決しようとする課題】
【０００６】
しかしながら、乾式電気集塵装置では集塵極から払い落とされた粒子状物質が再び対象ガス中に飛散するおそれがある。湿式電気集塵装置ではそのような再飛散のおそれはないものの、集塵極に沿って水を流下させるための構成が必要になる。しかも、湿式電気集塵装置では、集塵極上に均一な厚さの水膜を形成するために高精度な水位制御が必要である。
【０００７】
そこで、本発明は、簡易な構成で小さな粒径の粒子状物質を捕集することができる集塵装置を提供することを目的とする。
【課題を解決するための手段】
【０００８】
前記課題を解決するために、本発明の集塵装置は、対象ガスから粒子状物質を除去する集塵装置であって、前記対象ガスが流れる流路の一部を複数のセルに区画する区画部材、および前記複数のセルのそれぞれに挿通された、負電圧が印加されて前記区画部材との間に電界を発生させる荷電ワイヤ、を含む荷電部と、前記荷電部を通過した対象ガスを水と接触させて前記電界によって負に帯電した粒子状物質を捕集する湿式捕集部と、を備える、ことを特徴とする。
【０００９】
上記の構成によれば、粒子状物質を水と衝突させる前に粒子状物質を負に帯電させておくことにより、衝突速度が遅くても静電気力によって小さな粒子状物質を捕集することができる。しかも、湿式捕集部を荷電部の下流側に配置して荷電部では捕集を行わないようにすることにより、簡易な構成とすることができる。
【００１０】
前記区画部材は、互いに対向するように配列された、前記対象ガスが流れる方向と直交する方向に延びる複数の平板で構成されており、前記荷電ワイヤは、隣り合う前記平板の間で当該平板と平行に延びていてもよい。この構成によれば、荷電ワイヤを対象ガスが流れる方向と直交する方向に張ることができる。
【００１１】
前記対象ガスが流れる方向において、前記荷電ワイヤから前記平板の下流側の端部までの距離は、前記電界によって負に帯電した粒子状物質が前記平板に付着しないように設定されていてもよい。この構成によれば、負に帯電した粒子状物質が区画部材へ付着することを確実に防ぐことができる。
【００１２】
前記荷電ワイヤは、前記流路を横断しており、前記荷電部は、前記荷電ワイヤの両端部に接続された一対の分電部材と、前記一対の分電部材を収容する、前記流路の両側に配置された一対の第１収容室と、前記一対の分電部材のそれぞれに接続された荷電棒であって前記第１収容室の内部から外部へ延びる荷電棒と、前記荷電棒における前記第１収容室から突出する部分を収容する第２収容室であって前記荷電棒を支持する碍子が取り付けられた第２収容室と、を含んでもよい。この構成によれば、対象ガスが流れる流路との間に第１収容室が介在する第２収容室に碍子が取り付けられているので、粒子状物質が碍子に付着して漏電することを抑制することができる。
【００１３】
上記の集塵装置は、前記第２収容室内に空気を供給する空気供給装置をさらに備えてもよい。この構成によれば、第２収容室内に対象ガスが流入しないため、碍子への粒子状物質の付着を確実に防止することができる。また、第２収容室から第１収容室を通って流路へ空気が流れるため、第１収容室内での粒子状物質の堆積を抑制することもできる。
【００１４】
前記荷電部は、前記一対の第１収容室のそれぞれの内部に配置された、前記荷電ワイヤに向かって空気を吹き付けるノズルを含んでもよい。この構成によれば、荷電ワイヤをクリーンに保つことができる。
【００１５】
前記荷電棒は、連結器を介して前記分電部材に接続されており、前記連結器は、前記荷電棒に固定される固定部と、前記分電部材に固定される可動部とを有し、前記可動部がボルトにより前記荷電ワイヤを引っ張る方向に移動できるように構成されていてもよい。この構成によれば、荷電ワイヤに張力を与えることができる。その結果、対象ガスの流れに伴って荷電ワイヤが揺れることを防止することができる。
【００１６】
前記区画部材は、前記対象ガスが流れる方向と直交する方向に広がる、前記複数のセルを規定する複数の貫通穴を有するパネルであり、前記荷電ワイヤは、前記複数の貫通穴のそれぞれの中心で前記対象ガスが流れる方向に延びていてもよい。この構成によれば、荷電ワイヤを対象ガスが流れる方向と平行に張ることができる。
【００１７】
前記複数の貫通穴のそれぞれの長さは、前記電界によって負に帯電した粒子状物質が前記貫通穴の内周面に付着しないように設定されていてもよい。この構成によれば、負に帯電した粒子状物質が区画部材へ付着することを確実に防ぐことができる。
【００１８】
前記荷電部は、前記対象ガスが流れる方向において前記パネルの上流側に、前記流路を横断するように配置され、前記荷電ワイヤと接続された共通ワイヤと、前記共通ワイヤの両端部に接続された一対の分電部材と、前記一対の分電部材を収容する、前記流路の両側に配置された一対の第１収容室と、前記一対の分電部材のそれぞれに接続された荷電棒であって前記第１収容室の内部から外部へ延びる荷電棒と、前記荷電棒における前記第１収容室から突出する部分を収容する第２収容室であって前記荷電棒を支持する碍子が取り付けられた第２収容室と、を含んでもよい。この構成によれば、対象ガスが流れる流路との間に第１収容室が介在する第２収容室に碍子が取り付けられているので、粒子状物質が碍子に付着して漏電することを抑制することができる。
【００１９】
上記の集塵装置は、前記第２収容室内に空気を供給する空気供給装置をさらに備えてもよい。この構成によれば、第２収容室内に対象ガスが流入しないため、碍子への粒子状物質の付着を確実に防止することができる。また、第２収容室から第１収容室を通って流路へ空気が流れるため、第１収容室内での粒子状物質の堆積を抑制することもできる。
【００２０】
前記荷電部は、前記一対の第１収容室のそれぞれの内部に配置された、前記荷電ワイヤに向かって空気を吹き付けるノズルを含んでもよい。この構成によれば、荷電ワイヤをクリーンに保つことができる。
【００２１】
前記荷電棒は、連結器を介して前記分電部材に接続されており、前記連結器は、前記荷電棒に固定される固定部と、前記分電部材に固定される可動部とを有し、前記可動部がボルトにより前記共通ワイヤを引っ張る方向に移動できるように構成されていてもよい。この構成によれば、共通ワイヤに張力を与えることができる。その結果、対象ガスの流れに伴って共通ワイヤおよびこの共通ワイヤに接続された荷電ワイヤが揺れることを防止することができる。
【発明の効果】
【００２２】
本発明によれば、簡易な構成で小さな粒径の粒子状物質を捕集することができる。
【図面の簡単な説明】
【００２３】
【図１】本発明の第１実施形態に係る集塵装置の概略的な構成図である。
【図２】図１のII−II線に沿った断面図である。
【図３】（ａ）および（ｂ）は湿式捕集部の構成図である。
【図４】（ａ）は分電部材と荷電棒を連結する連結器の側面図、（ｂ）は同連結器の背面図である。
【図５】隣り合う平板および荷電ワイヤの断面図である。
【図６】（ａ）は変形例の荷電ワイヤの側面図、（ｂ）は同荷電ワイヤの断面図である。
【図７】別の変形例の荷電ワイヤの断面図である。
【図８】本発明の第２実施形態に係る集塵装置の概略的な構成図である。
【図９】本発明の第３実施形態に係る集塵装置の概略的な構成図である。
【発明を実施するための形態】
【００２４】
（第１実施形態）
図１および図２に本発明の第１実施形態に係る集塵装置１Ａを示す。この集塵装置１Ａは、対象ガスから粒子状物質を除去するためのものであり、対象ガスが流れる流路１０を形成する第１管路１１および第２管路１２を備えている。第１管路１１の途中には、荷電部２が設けられており、第１管路１１と第２管路１２の間には湿式捕集部７が設けられている。換言すれば、対象ガスが流れる方向において、湿式捕集部７は荷電部２よりも下流側に配置されている。
【００２５】
第１管路１１の上流端は、処理すべき対象ガスが流入する集塵装置１Ａの入口を構成し、第２管路１２の下流端は、処理された対象ガスが流出する集塵装置１Ｂの出口を構成する。本実施形態では、第１管路１１の断面形状は矩形状である。そして、荷電部２が設けられる位置では、第１管路１１の一方の対向壁の双方に、他方の対向壁同士を結ぶように延びる矩形状の開口１５が設けられている。本実施形態では、第１管路１１が延びる方向は図１に示すように鉛直方向であり、集塵装置１Ａの入口は上向きに開口している。ただし、第１管路１１が延びる方向は、水平方向や斜め方向であってもよい。
【００２６】
流路１０を流れる対象ガスは、例えば、ガスや化石燃料を燃焼させる燃焼機関（例えば、発電プラントやディーゼルエンジン）からの排ガスである。例えば、ディーゼルエンジンからは、粒径のピークが０．１μｍまたはその近傍にある粒度分布の粒子状物質を含む排ガスが排出される。ただし、対象ガスは、いかなるガスであってもよい。
【００２７】
荷電部２は、流路１０の一部を、対象ガスが流れる方向と直交する面上に並ぶ複数のセル４０に区画する区画部材４と、各セル４０に挿通された荷電ワイヤ３を含む。荷電ワイヤ３は、負電圧が印加されて区画部材４との間に電界を発生させる。この電界は、当該電界を通過する対象ガス中の分子をイオン化して陰イオンを生成し、この陰イオンを粒子状物質に付加する。この作用によって、粒子状物質が負に帯電する。
【００２８】
本実施形態では、荷電ワイヤ３を対象ガスが流れる方向と直交する方向に張るための構成が採用されている。具体的には、区画部材４が、対象ガスが流れる方向と直交する方向（上述した第１管路１１における開口１５が設けられていない対向壁同士が対向する方向）に、互いに対向するように配列された複数の平板４１で構成されている。各平板４１は、対象ガスが流れる方向および当該平板４１の配列方向と直交する方向（すなわち、開口１５同士を結ぶ方向）に延びる短冊状をなしている。各平板４１の幅（対象ガスが流れる方向の高さ）は、上述した開口１５の高さよりも十分に小さく設定されている。このため、各平板４１の両端部には、第１管路１１における開口１５に近接する部分に固定するための突起が設けられている。
【００２９】
各荷電ワイヤ３は、隣り合う平板４１の間で当該平板４１と平行に延びており、双方の開口１５を貫通して流路１０を横断している。図５に示すように、対象ガスが流れる方向において、荷電ワイヤ３から平板４１の下流側の端部（正確には、固定用の突起が設けられていない部分の端部）までの距離Ｄは、荷電ワイヤ３と平板４１との間で発生する電界によって負に帯電した粒子状物質が平板４１に付着しないように設定されている。これにより、負に帯電した粒子状物質が平板４へ付着することを確実に防ぐことができる。例えば、荷電ワイヤ３に印加される電圧が１０ｋＶである場合には、距離Ｄは１２ｍｍ以下とすればよい。
【００３０】
荷電ワイヤ３の形状は、特に限定されるものではない。例えば、図５に示すように、丸棒状の荷電ワイヤ３が採用されてもよい。あるいは、図６（ａ）および（ｂ）に示すような鋸刃状の荷電ワイヤ３や、図７に示すような断面星形の荷電ワイヤ３を採用することも可能である。鋸刃状や断面星形のように多数の突起部を有する荷電ワイヤ３を用いれば、丸棒状の荷電ワイヤ３に比べて、高効率で放電を行うことができる。
【００３１】
荷電ワイヤ３の両端部は、一対の分電部材（distribution member）３１に接続されている。各分電部材３１には、連結器５を介して荷電棒３２が接続されている。各分電部材３１は、荷電ワイヤ３を並列に接続するためのものである。分電部材３１、連結器５および荷電棒３２は、導電性の部材である。
【００３２】
一対の分電部材３１は、一対の第１収容室２１にそれぞれ収容されている。第１収容室２１は、第１管路１１の両側に開口１５を覆うように配置されている。すなわち、各第１収容室２１は、開口１５を通じて流路１０と連通している。
【００３３】
各第１収容室２１は、断面矩形状で荷電ワイヤ３と同方向に延びる箱状をなしている。
本実施形態では、第１収容室２１の断面形状は開口１５と同じ大きさである。ただし、第１収容室２１の断面形状は、開口１５よりも大きくてもよい。あるいは、開口１５は、例えば、荷電ワイヤ３ごとに設けられた、当該荷電ワイヤ３よりも僅かに大きな複数の円形穴で構成されていてもよい。
【００３４】
上述した荷電棒３２のそれぞれは、第１収容室２１の内部から外部へ延びている。そして、第１収容室２１には、荷電棒３２との接触を回避するための穴が設けられている。本実施形態では、荷電棒３２は、連結器５から、対象ガスが流れる方向と反対方向に延びている。ただし、荷電棒３２が延びる方向はこれに限られるものではなく、荷電棒３２は、連結器５から対象ガスが流れる方向または平板４１の配列方向に延びていてもよい。あるいは、荷電棒３２は、連結器５から分電部材３１と反対側に延びていてもよい。
【００３５】
連結器５は、図４（ａ）および（ｂ）に示すように、荷電棒３２に固定される固定部５１と、分電部材３１に固定される可動部５２とを有している。固定部５１と可動部５２は、荷電ワイヤ３の延びる方向に並んでいる。そして、可動部５２にはネジ穴が設けられており、このネジ穴に、固定部５１を貫通して複数のボルト５３が螺合している。すなわち、連結器５は、可動部５２がボルト５３により荷電ワイヤ３を引っ張る方向に移動できるように構成されている。
【００３６】
図１に戻って、荷電部２は、一対の第１収容室２１にそれぞれ隣接して配置された一対の第２収容室２２をさらに含む。各第２収容室２２は、各第１収容室２１に設けられた荷電棒３２との接触を回避するための穴を覆うように配置されている。このため、荷電棒３２における第１収容室３１から突出する部分は、第２収容室２２に収容されている。また、第２収容室２２には、荷電棒３２を支持する碍子３３が取り付けられている。碍子３３を貫通して第２収容室２２の外部に露出する荷電棒３２の先端には、高圧電源３５が接続されている。
【００３７】
第２収容室２２には吸気ポート２３が設けられており、第２収容室２２内には空気供給装置６により空気が供給される。これにより、図１に矢印で示すように、第２収容室２２から第１収容室２１を経て流路１０へ空気が流れる。空気供給装置６は、コンプレッサーやブロアなどのエアー源６１と、エアー源６１と給気ポート２３とを接続する空気配管６２を含む。
【００３８】
さらに、各第１収容室２１内には、荷電ワイヤ３に向かって空気を吹き付けるノズル２５が配置されている。本実施形態では、ノズル２５が連結器５の真横に配置されている。
【００３９】
湿式捕集部７は、荷電部２を通過した対象ガスを水と接触させて、荷電部２の荷電ワイヤ３と区画部材４との間で発生する電界によって負に帯電した粒子状物質を捕集する。
【００４０】
例えば、湿式捕集部７は、図３（ａ）に示すように、対象ガスを集約する集約管７１と、集約管７１の下方に配置された、水を貯留する貯留部７２と、貯留部７２に貯留された水を集約管７１の上方で噴霧する散水装置７３とを含む。貯留部７２に貯留された水には集約管７１の下端が浸され、対象ガスが湿式捕集部７に送り込まれると自動的にバブリングが行われる。
【００４１】
ただし、湿式捕集部７は、散水装置７３を含んでおらず、バブリングのみを行うように構成されていてもよい。あるいは、湿式捕集部７は、図３（ｂ）に示すように、貯留部７２に貯留された水に集約管７１の下端が浸されておらず、散水装置７３のみを含んでいてもよい。
【００４２】
以上説明したように、本実施形態の集塵装置１Ａでは、対象ガスの流れ方向において上流側に荷電部２が配置され、下流側に湿式捕集部７が配置されている。これにより、粒子状物質を水と衝突させる前に粒子状物質を負に帯電させておくことができる。その結果、衝突速度が遅くても静電気力によって小さな粒子状物質を捕集することができる。しかも、荷電部２では捕集を行わないようにすることにより、簡易な構成とすることができる。
【００４３】
従来の湿式洗浄方式の集塵装置では、小さな粒子状物質を捕集するためには、集塵装置へ送り込む対象ガスの流速を速くして、粒子状物質と水との衝突速度を大きくしなければならない。しかしながら、対象ガスの流速を速くすると圧力損失が大きくなるため、高い捕集効率を実現するには対象ガスを集塵装置へ送り込むのに多くのエネルギーを要する。これに対し、本実施形態の集塵装置１Ａでは、集塵装置１Ａへ送り込む対象ガスの流速を速くしなくても小さな粒子状物質を捕集できるため、少ないエネルギーで高い捕集効率を実現することができる。
【００４４】
また、本実施形態では、対象ガスが流れる流路１０との間に第１収容室２１が介在する第２収容室２２に碍子３３が取り付けられているので、粒子状物質が碍子３３に付着して漏電することを抑制することができる。
【００４５】
さらに、本実施形態では、空気供給装置６による第２収容室２２内への空気の供給により、第２収容室２２内に対象ガスが流入しないため、碍子３３への粒子状物質の付着を確実に防止することができる。また、第２収容室２２から第１収容室２１を通って流路１０へ空気が流れるため、第１収容室２１内での粒子状物質の堆積を抑制することもできる。
【００４６】
また、荷電ワイヤ３にはノズル２５から空気が吹き付けられるため、荷電ワイヤ３をクリーンに保つことができる。
【００４７】
さらに、本実施形態では、分電部材３１と荷電棒３２とを連結する連結器５のボルト５３により荷電ワイヤ３に張力を与えることができるので、対象ガスの流れに伴って荷電ワイヤ３が揺れることを防止することができる。
【００４８】
（第２実施形態）
次に、図８を参照して、本発明の第２実施形態に係る集塵装置１Ｂを説明する。なお、本実施形態および後述する第３実施形態において、第１実施形態と同一構成要素には同一符号を付し、重複した説明は省略する。
【００４９】
本実施形態では、荷電ワイヤ３を対象ガスが流れる方向と平行に張るための構成が採用されている。具体的には、区画部材４が、対象ガスが流れる方向と直交する方向に広がる、複数の貫通穴４３を有する連続したパネル４２である。貫通穴４３は、対象ガスが流れる流路の一部を複数に区画されたセル４０を規定する。そして、荷電ワイヤ３は、各貫通穴４２の中心で対象ガスが流れる方向に延びている。
【００５０】
本実施形態では、第１実施形態の複数の荷電ワイヤ３の代わりに複数の共通ワイヤ３６が用いられており、各共通ワイヤ３６に荷電ワイヤ３の上端部が接続されている。より詳しくは、共通ワイヤ３６は、対象ガスが流れる方向においてパネル４２の上流側に、対象ガスが流れる流路１０を横断するように配置されており、第１管路１１における開口１５が設けられていない対向壁同士が対向する方向に配列されている。そして、共通ワイヤ３６の両端部が一対の分電部材３１に接続されている。
【００５１】
さらに、本実施形態では、第１管路１１における荷電部２の下流側に、荷電ワイヤ３の下端部を保持するための保持部８が設けられている。保持部８の基本的な構成は、荷電部２と同様であるため、同一構成要素には重複した符号を付して説明を省略する。
【００５２】
保持部８の一対の分電部材３１には、複数の保持ワイヤ３７の両端部が接続されており、各保持ワイヤ３７には荷電ワイヤ３の下端部が接続されている。また、保持部８の第２収容室３２内にも空気供給装置６から空気が供給される。
【００５３】
荷電部２の第１収容室２１内に配置されたノズル２５は、荷電ワイヤ３に向かって空気を吹き付けできるように、第１実施形態に比べて傾斜した姿勢で固定されている。保持部８の第１収容室２１内にはノズル２５は配置されていない。
【００５４】
上述したパネル４２は、本実施形態では、板厚の薄い主板に円形状の短管が接合された構造を有している。ただし、パネル４２は、板厚の厚いフラットな一枚の板であってもよい。あるいは、パネル４２は、六角形状の筒状部材が隙間なく並べられたハニカム構造を有していてもよい。
【００５５】
本実施形態では、パネル４２が、荷電部２の第１収容室２１の下壁と同じ位置に配置されている。ただし、パネル４２は、荷電部２の第１収容室２１の下壁と保持部８の第１収容室２１の上壁の間であればどの位置に配置されていてもよい。
【００５６】
パネル４２の貫通穴４３の断面形状は、特に限定されるものではなく、円形状であってもよいし、多角形状であってもよい。各貫通穴４３の長さは、荷電ワイヤ３とパネル４２（正確には、貫通穴４３の内周面）との間で発生する電界によって負に帯電した粒子状物質が貫通穴４３の内周面に付着しないように設定されている。これにより、負に帯電した粒子状物質がパネル４２へ付着することを確実に防ぐことができる。
【００５７】
本実施形態のような構成でも、第１実施形態と同様の効果を得ることができる。さらに、本実施形態では、区画部材４を単一の部材とすることができ、第１実施形態に比べて区画部材４をシンプルな構成とすることができる。
【００５８】
また、本実施形態では、分電部材３１と荷電棒３２とを連結する連結器５のボルト５３（図４（ａ）および（ｂ）参照）により共通ワイヤ３６および保持ワイヤ３７に張力を与えることができるので、対象ガスの流れに伴って共通ワイヤ３６および保持ワイヤ３７ならびにこれらに接続された荷電ワイヤ３が揺れることを防止することができる。
【００５９】
（第３実施形態）
次に、図９を参照して、本発明の第３実施形態に係る集塵装置１Ｃを説明する。本実施形態では、第２実施形態の保持部８の代わりに、錘９が採用されている。このような構成であれば、第２実施形態よりも非常に簡易な構成とすることができる。
【産業上の利用可能性】
【００６０】
本発明は、種々の対象ガスを処理する際に有用である。
【符号の説明】
【００６１】
１Ａ〜１Ｃ  集塵装置
２    荷電部
２１  第１収容室
２２  第２収容室
３    荷電ワイヤ
３１  分電部材
３２  荷電棒
３３  碍子
３６  共通ワイヤ
４    区画部材
４０  セル
４１  平板
４２  パネル
４３  貫通穴
５    連結器
５１  固定部
５２  可動部
５３  ボルト
６    空気供給装置
７    湿式捕集部
１０  流路
【図１】
2015013243.tif 000003
【図２】
2015013243.tif 000004
【図３】
2015013243.tif 000005
【図４】
2015013243.tif 000006
【図５】
2015013243.tif 000007
【図６】
2015013243.tif 000008
【図７】
2015013243.tif 000009
【図８】
2015013243.tif 000010
【図９】
2015013243.tif 000011